(57)【特許請求の範囲】
【請求項１】
建物側耳縁（１１）が、軒樋の側壁の先端に内側に突出して設けられている軒樋（１０）との取付にあって、基端部に略板状の固定板（１）を備え、該固定板（１）の平面に対して略直交方向に延出された略板状の支持部材（２）を備え、該支持部材（２）の先端に屋外側係合部（３）、その基端に建物側係合部（４）を備えた軒樋取付具において、該建物側係合部（４）が、軒樋（１０）の建物側耳縁（１１）の下面に下方へ伸びる係合突起（１３）に接触するように上方へ延ばされた係合片（５）と、軒樋（１０）の外側から内側へ押圧する押圧片（６）と、前記建物側耳縁（１１）の上端を上記軒樋係合部（４）へ導くためのガイド片（７）を備え、該ガイド片（７）のうち上記係合片（５）に係止した際の軒樋（１０）上部に配置される部分を切り欠かせて端縁（８）を設け、該端縁（８）を建物側耳縁（１１）の外側面と対峙するような面にし、さらにこの面を上記押圧片（６）より固定板（１）側に配置したことを特徴とする軒樋取付具。
【発明の詳細な説明】
【０００１】
【発明の属する技術分野】
本発明は、建物側耳縁が軒樋の側壁の先端に内側に突出して設けられている軒樋を建物に取り付けるための軒樋取付具に係り、特に、一旦固定されれば長期的に安定して固定される一方、作業者が取り外す際には手間無く取り外すことができる軒樋取付具に関する。
【０００２】
【従来の技術】
従来の軒樋取付具としては、軒樋の建物側壁面を外側から内側に押圧した弾性片を設けて安定固定する手段（例えば特開平７−２１７１２２号）や、軒樋内側からの水平係合片と軒樋外側へ接する固定突起で建物側耳縁を保持する手段（例えば特開平７−１２７２０１号）等がある。
【０００３】
【発明が解決しようとする課題】
しかしながら、単に弾性片を設けた手段では、軒樋が屋外に配置されるため、経時的変化によって長期的に安定保持できないという課題があった。また、水平係合片と固定突起で建物側耳縁を保持する手段では、該水平係合片と該固定突起との隙間が開いていると施工後の軒樋ががたついたり軒樋が落下したりしてしまうという課題があった。一方、該隙間が狭いと一旦取り付けた軒樋を外すことが困難になってしまうという課題があった。
【０００４】
したがって、本発明の目的は、経時的変化があっても軒樋を長期的に安定保持でき、取り付ければがたつくことが無くなり、さらには一旦取り付けた軒樋を作業者が容易に外すことができる軒樋取付具を提供することにある。
【０００５】
【課題を解決するための手段】
本発明者は、上記に鑑み鋭意検討を行った結果、建物側耳縁が、軒樋の側壁の先端に内側に突出して設けられている軒樋との取付にあって、基端部に略板状の固定板を備え、該固定板の平面に対して略直交方向に延出された略板状の支持部材を備え、該支持部材の先端に屋外側係合部、その基端に建物側係合部を備えた軒樋取付具において、該建物側係合部が、軒樋の建物側耳縁の下面に下方へ伸びる係合突起に接触するように上方へ延ばされた係合片と、軒樋の外側から内側へ押圧する押圧片と、前記建物側耳縁の上端を上記軒樋係合部へ導くためのガイド片を備え、該ガイド片のうち上記係合片に係止した際の軒樋上部に配置される部分を切り欠かせて端縁を設け、該端縁を建物側耳縁の外側面と対峙するような面にし、さらにこの面を上記押圧片より固定板側に配置することにより上記課題を解決できることを見出だし、本発明を完成した。
【０００６】
【発明の実施の形態】
ここで、本発明にかかる該建物側係合部に設けた係合片は、軒樋の建物側耳縁の下面に接触するように上方へ延ばされたものであり、これにより施工された軒樋を長期に安定保持することができる。
【０００７】
上記押圧片は、軒樋の外側から内側へ押圧するものであり、これにより施工された軒樋を上記係合片側に押圧して軒樋を安定保持する。
【０００８】
上記ガイド片は、前記建物側耳縁の上端を上記軒樋係合部へ導くためのものであり、上記係合片に係止した際の軒樋上部に配置される部分を切り欠かせて端縁を設け、該端縁を建物側耳縁の外側面と対峙するような面にしたものである。このガイド片によって次のことが可能になった。すなわち、軒樋を取り付ける際には上記係合片が見えなくても、切り欠いた部分へ建物側耳縁端部を落とし込むことにより軒樋を該係合片に係合させることができ、風雨によって軒樋が前記係合片から浮いても、上記端縁を建物側耳縁の外側面と対峙するような面にしてみだりに外れないようにしている。また、軒樋をこの係合から外すときには、一旦軒樋（の建物側耳縁）を該端縁にぶつけてから真下に降ろすことにより外すことができる。該端縁は、上記押圧片より係合片側に配置されると軒樋が外れにくくなるため、上記押圧片より上記固定板側に配置されることが必要である。
【０００９】
前記軒樋取付具の素材としては、軒樋を長期間支持し得る剛性及び弾性を有するものであれば適宜選択でき、例えばステンレス、アルミニウム、鉄、鋼、銅、亜鉛、ニツケルなどの単体又は合金といった金属や、熱可塑性樹脂（例えばポリ塩化ビニル、ポリエチレン、ポリエステル、ポリスチレン、アクリロニトリル・ブタジエン・スチレン、ポリカーボネート）や熱硬化性樹脂の単体又は複合体といった合成樹脂がある。なお、上記素材自体の剛性が弱い場合には該素材内外に剛性の強い金属や合成樹脂若しくは補強繊維（例えばガラス繊維、アラミド繊維、金属繊維など）を埋設して剛性を高めればよい。また、上記素材の表面平滑性を高める等のため、ゴムや柔軟性を有するに有する合成樹脂を積層しても良いのはもちろんである。また、その形状としては、単なる板状体の他、該保持片の両サイドにリブを設けたものであってもよい。
【００１０】
なお、本発明にかかる軒樋取付具において取付対象となる軒樋は、様々な形状の軒樋に対応できるが、建物側耳縁が、軒樋の側壁の先端に内側に突出して設けられている軒樋であり、さらに、建物側耳縁の下面に下方へ伸びる係合突起を設けたものでなければならない。また、上記樋支持部や屋外側耳縁の形状は、被取付部材である軒樋の形状に応じて適宜選択できる。
【００１１】
本発明にあっては、軒樋取付具の建物側係合部に、軒樋の建物側耳縁の下面に下方へ伸びる係合突起に接触するように上方へ延ばされた係合片と、軒樋の外側から内側へ押圧する押圧片と、前記建物側耳縁の上端を上記軒樋係合部へ導くためのガイド片を設け、該ガイド片のうち上記係合片に係止した際の軒樋上部に配置される部分を切り欠かせて端縁を設け、該端縁を建物側耳縁の外側面と対峙するような面にし、さらにこの面を上記押圧片より固定板側に配置し、これにより経時的変化があっても軒樋を長期的に安定保持でき、取り付ければがたつくことが無くなり、さらには一旦取り付けた軒樋を作業者が容易に外すことができる。
【００１２】
【実施例】
本発明にかかる一実施例を図１に開示する。図１は本発明の一実施例にかかる軒樋取付具を用いて軒樋が建物に取り付けられた状態を模式的に示した説明図である。
【００１３】
この実施例にかかる軒樋取付具は、基端部に略板状の固定板１を備え、該固定板１の平面に対して略直交方向に延出された略板状の支持部材２を備え、該支持部材２の先端に屋外側係合部３、その基端に建物側係合部４を備えたものである。
【００１４】
【実施例】
該支持部材２は、補強用のリブが板状態の幅方向端縁に設けられたものである。該建物側係合部４は、軒樋１０の建物側耳縁１１の下面に下方へ伸びる係合突起１３に接触するように上方へ延ばされた係合片５と、軒樋１０の外側から内側へ押圧する押圧片６と、前記建物側耳縁１１の上端を上記軒樋係合部４へ導くためのガイド片７を備えている。
【００１５】
該ガイド片７のうち上記係合片５に係止した際の軒樋１０上部に配置される部分には、切り欠きによって端縁８が設けられている。該端縁８は建物側耳縁１１の外側面と対峙するような面にされ、さらにこの面は上記押圧片６より固定板１側に配置されている。なお、図１中、符号１２は建物の外壁であり、上記固定板１を建物１２に固定するための釘やビス等の固定部材は図示を省略した。
【００１６】
本実施例の軒樋取付作業について説明する。外壁１２に軒樋取付具が図示外の釘により取り付けられ、軒樋１０の屋外側耳縁を屋外側係合部３に係止し、建物側耳縁１１を下から回すようにして上記建物側係合部４へ動かす。該建物側耳縁１１の外周部を上記押圧片６に接しながら上に持ち上げ、続いてガイド片７に接触させつつ屋外側に移動させると端縁８によって衝撃があり、そのまま作業者が手を離すと建物側耳縁１１の下面に設けられた突起が上記係合片５に係合する。以上の作業により、軒樋１０は取り付けられる。
【００１７】
設置された軒樋１０は、係合片５によって吊られて安定固定されている。また、風雨によって軒樋１０が動いても、押圧片６による押圧、ガイド片７の端縁８によって軒樋１０の建物側耳縁１１は、建物側係合部４から外れない。
【００１８】
本実施例にあっては、仮に経時的変化で押圧片６の弾性力が弱っても、係合片５、ガイド片７の端縁８があるので、外れ難くなった。
【００１９】
本実施例において、一旦取り付けた軒樋１０を軒樋取付具から取り外す際には、建物側耳縁１１を真上に持ち上げて係合片５との係合を外し、該建物側耳縁１１の上端をガイド片７の切欠に進入させてからガイド片７に沿うように押し当てて建物１２側にスライドさせれば行うことができる。
【００２０】
【発明の効果】
本発明は、建物側耳縁が、軒樋の側壁の先端に内側に突出して設けられている軒樋との取付にあって、基端部に略板状の固定板を備え、該固定板の平面に対して略直交方向に延出された略板状の支持部材を備え、該支持部材の先端に屋外側係合部、その基端に建物側係合部を備えた軒樋取付具において、該建物側係合部が、軒樋の建物側耳縁の下面に下方へ伸びる係合突起に接触するように上方へ延ばされた係合片と、軒樋の外側から内側へ押圧する押圧片と、前記建物側耳縁の上端を上記軒樋係合部へ導くためのガイド片を備え、該ガイド片のうち上記係合片に係止した際の軒樋上部に配置される部分を切り欠かせて端縁を設け、該端縁を建物側耳縁の外側面と対峙するような面にし、さらにこの面を上記押圧片より固定板側に配置し、これにより経時的変化があっても軒樋を長期的に安定保持でき、取り付ければがたつくことが無くなり、さらには一旦取り付けた軒樋を作業者が容易に外すことができるという効果を有する。
【図面の簡単な説明】
【図１】本発明の一実施例にかかる軒樋取付具を用いて軒樋が建物に取り付けられた状態を模式的に示した説明図である。
【符号の説明】
１ 固定板
２ 支持部材
３ 屋外側係合部
４ 建物側係合部
５ 係合片
６ 押圧片
７ ガイド片
８ 端縁
１０ 軒樋
１１ 建物側耳縁
１３ 係合突起
【図１】
0003797816.tif 000002